(57)【要約】【課題】位置情報を対応付けられた画像データを異なる携帯電話装置でも利用可能とし、位置情報の関連付け方法等の利便性の高い携帯電話制御システム。【解決手段】第１の携帯電話装置は、カメラ１７が撮影した画像データに信号処理部（測位部）４２で得られた撮影時の測位データを位置データとしてリンクさせたリンク画像データを作成して第２の携帯電話装置に送信する。第２の携帯電話装置は、信号処理部（測位部）４２で得られる測位データが受信したリンク画像データに含まれる位置データと一致するかを位置データ比較部２６で判断し、一致した場合にスピーカ１９からアラームを出力し、表示部コントローラ２３で表示部１６に画像データを表示させる。【選択図】      図１
2004215079.tif 000002
【特許請求の範囲】
【請求項１】
第１の携帯電話装置と第２の携帯電話装置とを有する携帯電話制御システムであって、
前記第１の携帯電話装置は、カメラと、測位手段と、前記カメラが撮影した画像データに撮影時の測位データを位置データとしてリンクさせたリンク画像データを前記第２の携帯電話装置に送信する手段とを含み、
前記第２の携帯電話装置は、測位手段と、この測位手段が得る測位データが受信した前記リンク画像データに含まれる位置データと一致するかを判断する手段と、一致した場合にアラーム出力と前記画像データの表示出力とを行う手段とを含む
ことを特徴とする携帯電話制御システム。
【請求項２】
第１の携帯電話装置と第２の携帯電話装置とを有する携帯電話制御システムであって、
前記第１の携帯電話装置は、カメラと、測位手段と、前記カメラが撮影した画像データに撮影時の測位データである位置データを含むファイル名を付けて保存する手段と、保存した前記画像データを前記第２の携帯電話装置に送信する手段とを含み、
前記第２の携帯電話装置は、測位手段と、この測位手段が得る測位データが受信した前記画像データのファイル名に含まれる位置データと一致するかを判断する手段と、一致した場合にアラーム出力と前記画像データの表示出力とを行う手段とを含む
ことを特徴とする携帯電話制御システム。
【請求項３】
第１の携帯電話装置と第２の携帯電話装置とを有する携帯電話制御システムであって、
前記第１の携帯電話装置は、画像データに操作部から入力された位置データをリンクさせたリンク画像データを作成する手段と、作成した前記リンク画像データを前記第２の携帯電話装置に送信する手段とを含み、
前記第２の携帯電話装置は、測位手段と、この測位手段が得る測位データが受信した前記リンク画像データに含まれる位置データと一致するかを判断する手段と、一致した場合にアラーム出力と前記画像データの表示出力とを行う手段とを含む
ことを特徴とする携帯電話制御システム。
【請求項４】
第１の携帯電話装置と第２の携帯電話装置とを有する携帯電話制御システムであって、
前記第１の携帯電話装置は、操作部から入力された位置データを含むファイル名を画像データに付与する手段と、この画像データを前記第２の携帯電話装置に送信する手段とを含み、
前記第２の携帯電話装置は、測位手段と、この測位手段が得る測位データが受信した前記画像データのファイル名に含まれる位置データと一致するかを判断する手段と、一致した場合にアラーム出力と前記画像データの表示出力とを行う手段とを含む
ことを特徴とする携帯電話制御システム。
【請求項５】
画像データに操作部から入力された位置データをリンクさせる手段と、測位データを取得する手段と、取得した測位データと前記位置データとが一致するかを判断する手段と、一致した場合にアラーム出力と前記画像データの表示出力とを行う手段とを備えたことを特徴とする携帯電話装置。
【請求項６】
操作部から入力された位置データを含むファイル名を画像データに付与する手段と、測位データを取得する手段と、取得した測位データと前記画像データに含まれる位置データとが一致するかを判断する手段と、一致した場合にアラーム出力と前記画像データの表示出力とを行う手段とを備えたことを特徴とする携帯電話装置。
【請求項７】
カメラと、測位手段と、前記カメラが撮影した画像データに撮影時の測位データである位置データを含むファイル名を付けて保存する手段と、前記測位手段が得る測位データが前記画像データのファイル名に含まれる位置データと一致するかを判断する手段と、一致した場合にアラーム出力と前記画像データの表示出力とを行う手段とを含むことを特徴とする携帯電話装置。
【請求項８】
第１の携帯電話装置と第２の携帯電話装置とを使用する携帯電話制御方法であって、
前記第１の携帯電話装置で、カメラが撮影した画像データに撮影時の測位データを位置データとしてリンクさせたリンク画像データを前記第２の携帯電話装置に送信するステップと、
前記第２の携帯電話装置で、測位手段が得る測位データが受信した前記リンク画像データに含まれる位置データと一致するかを判断するステップと、一致した場合にアラーム出力と前記画像データの表示出力とを行うステップと
を含むことを特徴とする携帯電話制御方法。
【請求項９】
第１の携帯電話装置と第２の携帯電話装置とを使用する携帯電話制御方法であって、
前記第１の携帯電話装置で、カメラが撮影した画像データに撮影時の測位データである位置データを含むファイル名を付けて保存するステップと、保存した前記画像データを前記第２の携帯電話装置に送信するステップと、
前記第２の携帯電話装置で、測位手段が得る測位データが受信した前記画像データのファイル名に含まれる位置データと一致するかを判断するステップと、一致した場合にアラーム出力と前記画像データの表示出力とを行うステップと
を含むことを特徴とする携帯電話制御方法。
【請求項１０】
第１の携帯電話装置と第２の携帯電話装置とを使用する携帯電話制御方法であって、
前記第１の携帯電話装置で、画像データに操作部から入力された位置データをリンクさせたリンク画像データを作成するステップと、作成した前記リンク画像データを前記第２の携帯電話装置に送信するステップと、
前記第２の携帯電話装置で、測位手段が得る測位データが受信した前記リンク画像データに含まれる位置データと一致するかを判断するステップと、一致した場合にアラーム出力と前記画像データの表示出力とを行うステップと
を含むことを特徴とする携帯電話制御方法。
【請求項１１】
第１の携帯電話装置と第２の携帯電話装置とを使用する携帯電話制御方法であって、
前記第１の携帯電話装置で、操作部から入力された位置データを含むファイル名を画像データに付与するステップと、この画像データを前記第２の携帯電話装置に送信するステップと、
前記第２の携帯電話装置で、測位手段が得る測位データが受信した前記画像データのファイル名に含まれる位置データと一致するかを判断するステップと、一致した場合にアラーム出力と前記画像データの表示出力とを行うステップと
を含むことを特徴とする携帯電話制御方法。
【請求項１２】
請求項５、６または７のいずれか１項に記載の機能をコンピュータに実現させるためのプログラム。
【発明の詳細な説明】
【０００１】
【発明の属する技術分野】
本発明は携帯電話制御システム、携帯電話制御方法、携帯電話装置、プログラムに関し、特にカメラとＧＰＳ機能とを有する携帯電話制御システム、携帯電話制御方法、携帯電話装置、プログラムに関する。
【０００２】
【従来の技術】
従来は、忘れたくないアイテムやスケジュールを携帯電話装置のアラーム機能などによって使用者に報知していたが、時刻だけのアラームではある場所に到着して遂行すべきアイテムやスケジュールを忘れてしまう可能性があった。カメラおよびＧＰＳ（ｇｌｏｂａｌ  ｐｏｓｉｔｉｏｎｉｎｇ  ｓｙｓｔｅｍ）機能付きの携帯電話装置を使用することにより、例えばある場所に到着したら何かを購入するなど、時間だけでは管理できないアイテムやスケジュールを確実に遂行することを促すことが可能となる。
【０００３】
従来の携帯電話装置にカメラおよびＧＰＳ機能を備えた場合の構成の一例を図４に示す。
【０００４】
音声通話時においては、アンテナ１１１で受信された電波は無線部１１２にて制御部１２０の制御可能な信号に変換され、制御部１２０内の変復調部１２１にて復調され、信号処理部１２２にて音声信号に変換され、レシーバ１１３を通じて使用者に伝達される。また使用者の発信したデータはマイク１１５を通じて制御部１２０内の信号処理部１２２にて送信データに変換され、変復調部１２１にて変調され、無線部１１２にて送信可能なデータに変換されアンテナ１１１を通じて送信される。また制御部１２０内の表示部コントローラ１２３は表示部１１６を駆動し、通話相手の電話番号や通話時間等を表示させる。通話終了後の通話履歴や発信・受信履歴などは制御部１２０内の信号処理部１２２から記憶部１２４に記憶される。
【０００５】
また、この携帯電話装置はカメラおよびＧＰＳ機能を有する。使用者がカメラの撮影モードに設定した際は、カメラ１１７から入力される画像は制御部１２０内の画像処理部１２５、表示部コントローラ１２３を介してリアルタイムで表示部１１６に表示される。使用者がシャッター１１８を押して撮影した際は画像処理部１２５にて記憶部１２４に記憶可能な信号に変換され記憶される。またＧＰＳはＧＰＳアンテナ１３１にて衛星からの電波を受信し、ＧＰＳ無線部１３２にてＧＰＳ制御部１４０にて制御可能な信号に変換され、ＧＰＳ制御部１４０内のＧＰＳ復調部１４１にて復調され、信号処理部（測位部）１４２にて測位データを得る。また測位データは設定により制御部１２０内の表示部コントローラ１２３を介して現在の位置情報として表示部１１６に表示可能である。
【０００６】
カメラおよびＧＰＳ機能を利用して、カメラで撮影した画像データに撮影したときの位置情報を対応付け、撮影したときの位置に携帯電話装置が再び移動した場合に画像データを表示する技術が開示されている（例えば、特許文献１参照。）。
【０００７】
【特許文献１】
特開２００２−２９１０２８号公報
【０００８】
【発明が解決しようとする課題】
上述した従来の携帯電話装置の画像表示は、単一の携帯電話装置内で動作するものであり、他の使用者の携帯電話装置との間では動作しないという問題点があった。
【０００９】
本発明の目的は、位置情報を対応付けられた画像データを異なる携帯電話装置でも利用可能とし、また、位置情報の関連付け方法等の利便性の高い、携帯電話制御システム、携帯電話制御方法、携帯電話装置、プログラムを提供することにある。
【００１０】
【課題を解決するための手段】
本発明の携帯電話制御システムは、第１の携帯電話装置と第２の携帯電話装置とを有する携帯電話制御システムであって、
前記第１の携帯電話装置は、カメラと、測位手段と、前記カメラが撮影した画像データに撮影時の測位データを位置データとしてリンクさせたリンク画像データを前記第２の携帯電話装置に送信する手段とを含み、
前記第２の携帯電話装置は、測位手段と、この測位手段が得る測位データが受信した前記リンク画像データに含まれる位置データと一致するかを判断する手段と、一致した場合にアラーム出力と前記画像データの表示出力とを行う手段とを含む
ことを特徴とする。
【００１１】
本発明の携帯電話制御システムは、第１の携帯電話装置と第２の携帯電話装置とを有する携帯電話制御システムであって、
前記第１の携帯電話装置は、カメラと、測位手段と、前記カメラが撮影した画像データに撮影時の測位データである位置データを含むファイル名を付けて保存する手段と、保存した前記画像データを前記第２の携帯電話装置に送信する手段とを含み、
前記第２の携帯電話装置は、測位手段と、この測位手段が得る測位データが受信した前記画像データのファイル名に含まれる位置データと一致するかを判断する手段と、一致した場合にアラーム出力と前記画像データの表示出力とを行う手段とを含む
ことを特徴としてもよい。
【００１２】
本発明の携帯電話制御システムは、第１の携帯電話装置と第２の携帯電話装置とを有する携帯電話制御システムであって、
前記第１の携帯電話装置は、画像データに操作部から入力された位置データをリンクさせたリンク画像データを作成する手段と、作成した前記リンク画像データを前記第２の携帯電話装置に送信する手段とを含み、
前記第２の携帯電話装置は、測位手段と、この測位手段が得る測位データが受信した前記リンク画像データに含まれる位置データと一致するかを判断する手段と、一致した場合にアラーム出力と前記画像データの表示出力とを行う手段とを含む
ことを特徴としてもよい。
【００１３】
本発明の携帯電話制御システムは、第１の携帯電話装置と第２の携帯電話装置とを有する携帯電話制御システムであって、
前記第１の携帯電話装置は、操作部から入力された位置データを含むファイル名を画像データに付与する手段と、この画像データを前記第２の携帯電話装置に送信する手段とを含み、
前記第２の携帯電話装置は、測位手段と、この測位手段が得る測位データが受信した前記画像データのファイル名に含まれる位置データと一致するかを判断する手段と、一致した場合にアラーム出力と前記画像データの表示出力とを行う手段とを含む
ことを特徴としてもよい。
【００１４】
本発明の携帯電話装置は、画像データに操作部から入力された位置データをリンクさせる手段と、測位データを取得する手段と、取得した測位データと前記位置データとが一致するかを判断する手段と、一致した場合にアラーム出力と前記画像データの表示出力とを行う手段とを備えたことを特徴とする。
【００１５】
本発明の携帯電話装置は、操作部から入力された位置データを含むファイル名を画像データに付与する手段と、測位データを取得する手段と、取得した測位データと前記画像データに含まれる位置データとが一致するかを判断する手段と、一致した場合にアラーム出力と前記画像データの表示出力とを行う手段とを備えたことを特徴としてもよい。
【００１６】
本発明の携帯電話装置は、カメラと、測位手段と、前記カメラが撮影した画像データに撮影時の測位データである位置データを含むファイル名を付けて保存する手段と、前記測位手段が得る測位データが前記画像データのファイル名に含まれる位置データと一致するかを判断する手段と、一致した場合にアラーム出力と前記画像データの表示出力とを行う手段とを含むことを特徴としてもよい。
【００１７】
本発明の携帯電話制御方法は、第１の携帯電話装置と第２の携帯電話装置とを使用する携帯電話制御方法であって、
前記第１の携帯電話装置で、カメラが撮影した画像データに撮影時の測位データを位置データとしてリンクさせたリンク画像データを前記第２の携帯電話装置に送信するステップと、
前記第２の携帯電話装置で、測位手段が得る測位データが受信した前記リンク画像データに含まれる位置データと一致するかを判断するステップと、一致した場合にアラーム出力と前記画像データの表示出力とを行うステップと
を含むことを特徴とする。
【００１８】
本発明の携帯電話制御方法は、第１の携帯電話装置と第２の携帯電話装置とを使用する携帯電話制御方法であって、
前記第１の携帯電話装置で、カメラが撮影した画像データに撮影時の測位データである位置データを含むファイル名を付けて保存するステップと、保存した前記画像データを前記第２の携帯電話装置に送信するステップと、
前記第２の携帯電話装置で、測位手段が得る測位データが受信した前記画像データのファイル名に含まれる位置データと一致するかを判断するステップと、一致した場合にアラーム出力と前記画像データの表示出力とを行うステップと
を含むことを特徴としてもよい。
【００１９】
本発明の携帯電話制御方法は、第１の携帯電話装置と第２の携帯電話装置とを使用する携帯電話制御方法であって、
前記第１の携帯電話装置で、画像データに操作部から入力された位置データをリンクさせたリンク画像データを作成するステップと、作成した前記リンク画像データを前記第２の携帯電話装置に送信するステップと、
前記第２の携帯電話装置で、測位手段が得る測位データが受信した前記リンク画像データに含まれる位置データと一致するかを判断するステップと、一致した場合にアラーム出力と前記画像データの表示出力とを行うステップと
を含むことを特徴としてもよい。
【００２０】
本発明の携帯電話制御方法は、第１の携帯電話装置と第２の携帯電話装置とを使用する携帯電話制御方法であって、
前記第１の携帯電話装置で、操作部から入力された位置データを含むファイル名を画像データに付与するステップと、この画像データを前記第２の携帯電話装置に送信するステップと、
前記第２の携帯電話装置で、測位手段が得る測位データが受信した前記画像データのファイル名に含まれる位置データと一致するかを判断するステップと、一致した場合にアラーム出力と前記画像データの表示出力とを行うステップと
を含むことを特徴としてもよい。
【００２１】
本発明のプログラムは、請求項５、６または７のいずれか１項に記載の機能をコンピュータに実現させる。
【００２２】
【発明の実施の形態】
本発明の実施の形態について図面を参照して詳細に説明する。まず、第１の実施の形態について説明する。図１は本発明の第１の実施の形態で使用される携帯電話装置の構成を示すブロック図である。携帯電話装置は、アンテナ１１、無線部１２、レシーバ１３、操作部１４、マイク１５、表示部１６、カメラ１７、シャッター１８、スピーカ１９、制御部２０、ＧＰＳアンテナ３１、ＧＰＳ無線部３２、ＧＰＳ制御部４０を有する。制御部２０は、変復調部２１、信号処理部２２、表示部コントローラ２３、記憶部２４、画像処理部２５、位置データ比較部２６を含む。ＧＰＳ制御部４０は、ＧＰＳ復調部４１、信号処理部（測位部）４２を含む。
【００２３】
音声通話時においては、アンテナ１１で受信された電波は無線部１２にて制御部２０の制御可能な信号に変換され、制御部２０内の変復調部２１にて復調され、信号処理部２２にて音声信号に変換され、レシーバ１３を通じて使用者に伝達される。また使用者が操作部１４を操作した後に発信したデータはマイク１５を通じて制御部２０内の信号処理部２２にて送信データに変換され、変復調部２１にて変調され、無線部１２にて送信可能なデータに変換されアンテナ１１を通じて送信される。また制御部２０内の表示部コントローラ２３は表示部１６を駆動し、通話相手の電話番号や通話時間等を表示させる。通話終了後の通話履歴や発信・受信履歴などは制御部２０内の信号処理部２２から記憶部２４に記憶される。位置データ比較部２６は、記憶部２４にある位置データを信号処理部（測位部）４２から得られた測位データと比較する。
【００２４】
メール送受信は、音声通話時のマイク１５の代わりに表示部コントローラ２３と表示部１６を使用する。
【００２５】
また本発明における携帯電話装置はカメラおよびＧＰＳ機能を有する。使用者がカメラの撮影モードに設定した際は、カメラ１７から入力される画像は制御部２０内の画像処理部２５、表示部コントローラ２３を介してリアルタイムで表示部１６に表示される。使用者がシャッター１８を押して撮影した際は画像処理部２５にて記憶部２４に記憶可能な信号に変換され記憶される。またＧＰＳはＧＰＳアンテナ３１にて衛星からの電波を受信し、ＧＰＳ無線部３２にてＧＰＳ制御部４０にて制御可能な信号に変換され、ＧＰＳ制御部４０内のＧＰＳ復調部４１にて復調され、信号処理部（測位部）４２にて測位データを得る。また測位データは設定により制御部２０内の表示部コントローラ２３を介して現在の位置情報として表示部１６に表示可能である。
【００２６】
次に、第１の実施の形態の動作について図１を参照して説明する。
【００２７】
使用者が予め任意の場所にてカメラにて撮影する際について説明する。使用者が移動している最中は携帯電話装置内のＧＰＳ機能にてリアルタイムに携帯電話装置の位置を測位している。本実施の形態では使用者がカメラ１７使用時にシャッター１８を押下した瞬間の測位データをＧＰＳ制御部４０内の信号処理部（測位部）４２から制御部２０内の画像処理部２５に入力し、画像処理部２５は画像処理部２５内にある画像データとリンクさせ一時保持する。その後撮影した画像データを記憶部２４に保存する際に画像処理部２５はリンクされた測位データを位置データとして画像データと共に保存する。
【００２８】
使用者が暫くして再び撮影した場所を訪れる際について説明する。本実施の形態における携帯電話装置は「位置検出報知機能」を付加し使用者が操作部１４を使用してこの機能をＯＮした場合、位置データ比較部２６は記憶部２４にある画像データにリンクされた位置データのみを参照し、ＧＰＳ制御部４０内の信号処理部（測位部）４２から得られた測位データとを比較する。測位データが位置データと一致、又は予め位置データ比較部２６にある一定範囲を設定しておき、その範囲内に測位データが入った場合に制御部２０内の信号処理部２２に座標一致信号を送出し、信号処理部２２はスピーカ１９を駆動し更に記憶部２４から比較していた位置データとリンクしている画像データを画像処理部２５に送出させ、表示部コントローラ２３を介して表示部１６に表示させる。
【００２９】
また位置データとリンクさせて保存したリンク画像データを他の使用者（受信者）にメールにて送付した場合も受信者の携帯電話装置の「位置検出報知機能」をＯＮさせることにより、同様な処理が行われ位置データと測位データが一致した場合に位置検出報知機能にて受信者の携帯電話装置のスピーカ１９からアラームが鳴り、予め撮影した画像が受信者の携帯電話装置の表示部１６の液晶に表示される機能が実現可能となる。
【００３０】
次に、本発明の第２の実施の形態について説明する。第２の実施の形態の構成は図１を用いて説明した第１の実施の形態と同じである。図２は第２の実施の形態の動作を示すフローチャートである。図２を参照して第２の実施の形態の動作について説明する。
【００３１】
使用者が携帯電話装置のカメラ１７にて写真撮影をした際、第１の実施の形態（図１）でも説明したように一時的に撮影した場所の測位データを画像処理部２５で保持する（ステップＡ１）。
【００３２】
その後使用者が撮影した画像を画像データとして保存する際に位置データとして使用するか否かを選択させる（ステップＡ２）。使用しないと選択した場合は通常の画像データとして保存する（ステップＡ３）。
【００３３】
使用者が使用すると選択した場合は画像データを保存する際のファイル名の一部に撮影した時の位置データを含めて保存する（ステップＡ４）。たとえば、撮影の日付が２００３年１月１日で、位置データが東経１１０度、北緯６０度であれば、ファイル名を「２００３０１０１＿１１０＿６０．ｊｐｇ」のようにする。
【００３４】
その後「位置検出報知機能」をＯＮするか否かの選択（ステップＡ５）で、使用者がＯＮしなかった場合は通常の動作をし位置データ比較部２６は動作しない（ステップＡ６）。
【００３５】
使用者がＯＮした場合は位置データ比較部２６が動作し、位置データと測位データをリアルタイムで比較し（ステップＡ７）、一致するまで又は使用者から「位置検出報知機能」をＯＦＦするまでデータの比較を継続する（ステップＡ９）。ステップＡ８で位置データと測位データが一致した際はスピーカ１９からアラームを鳴動させ、該当する画像データを表示部１６に表示することで使用者に報知する（ステップＡ１０）。
【００３６】
また第１の実施の形態と同様、位置データをファイル名の一部として保存した画像データを他の使用者（受信者）にメールにて送付した場合も、受信者が受信者の携帯電話装置の「位置検出報知機能」をＯＮさせることにより同様な処理が行われ、位置データと測位データが一致した場合に位置検出報知機能にて受信者の携帯電話装置のスピーカ１９からアラームが鳴り、予め撮影した画像が受信者の携帯電話装置の表示部１６の液晶に表示される機能が実現可能となる。図２のステップＡ１〜Ａ４が送信者側の携帯電話装置の動作であり、ステップＡ４とＡ５の間にメール送信動作が加わり、ステップＡ５〜Ａ１０が受信者側の携帯電話装置の動作となる。
【００３７】
以上でファイル名の一部を参照し、測位データと比較することで使用者に報知する機能を有する携帯電話装置の提供が可能となる。
【００３８】
次に、本発明の第３の実施の形態について説明する。第３の実施の形態の構成は図１を用いて説明した第１の実施の形態と同じである。図３は第３の実施の形態の動作を示すフローチャートである。図３を参照して第３の実施の形態の動作について説明する。
【００３９】
使用者は携帯電話装置のカメラ１７にて写真撮影し通常の画像データとして保存、又は他の使用者からメールに添付された画像を通常の画像データとして保存する（ステップＢ１）。
【００４０】
その後その画像データと位置データをリンクさせるか否か選択させる（ステップＢ２）。リンクさせないと選択した場合は通常動作となる（ステップＢ３）。
【００４１】
リンクさせると選択した場合は選択した画像データに使用者が任意で入力した位置データをリンクさせてリンク画像データとして保存する（ステップＢ４）。位置データをリンクさせる方法としては、たとえば、使用者が操作部１４の数字キーを使って位置データをダイレクト入力することによりリンクさせる方法がある。また、携帯電話装置に地図を表示できるアプリケーションがある場合は、地図にポインタを合わせて登録することでリンクさせることができる。
【００４２】
その後（ステップＢ５〜ステップＢ１０）は第２の実施の形態と同様な動作をし、使用者が任意で入力した位置データと測位データが一致した際はスピーカ１９からアラームを鳴動させ、該当する画像データを表示部１６に表示することで使用者に報知することが可能となる。
【００４３】
また第１または第２の実施の形態と同様、位置データを画像データにリンクさせたリンク画像データを他の使用者（受信者）にメールにて送付した場合も、受信者が受信者の携帯電話装置の「位置検出報知機能」をＯＮさせることにより同様な処理が行われ、位置データと測位データが一致した場合に位置検出報知機能にて受信者の携帯電話装置のスピーカ１９からアラームが鳴り、予め撮影した画像が受信者の携帯電話装置の表示部１６の液晶に表示される機能が実現可能となる。図３のステップＢ１〜Ｂ４が送信者側の携帯電話装置の動作であり、ステップＢ４とＢ５の間にメール送信動作が加わり、ステップＢ５〜Ｂ１０が受信者側の携帯電話装置の動作となる。
【００４４】
以上によりカメラにて撮影した画像又は他の使用者からのメールに添付されてきた画像を、一度通常の画像データとして保存した後に再度位置データとリンクさせることを可能とすることで、測位データとリンクされたデータを比較し使用者に報知する機能を有する携帯電話装置の提供が可能となる。
【００４５】
本発明の実施の形態の制御部２０とＧＰＳ制御部４０の動作はコンピュータ・プログラム処理により行わせることが可能である。すなわち、記録媒体に記録したプログラムを携帯電話装置に読み込ませるか、あるいは、ネットワークからコンピュータ・プログラムを携帯電話装置に読み込ませて、実施の形態で説明した動作を実行させる。
【００４６】
【発明の効果】
以上説明したように、本発明によって使用者がその場所に到着したときに忘れたくない、または相手に忘れて欲しくないアイテムやスケジュールをそれに関連する画像などを用いて伝達することができる。またアイテムやスケジュールを時間でなく、場所（位置データ）で伝えることが可能な携帯電話装置が実現できる。
【００４７】
使用者が相手に到達して欲しい場所を位置データを用いて正確に伝達することが可能な携帯電話装置が実現できる。
【図面の簡単な説明】
【図１】本発明の携帯電話装置の構成を示すブロック図である。
【図２】第２の実施の形態の動作を示すフローチャートである。
【図３】第３の実施の形態の動作を示すフローチャートである。
【図４】従来の携帯電話装置の構成を示すブロック図である。
【符号の説明】
１１    アンテナ
１２    無線部
１３    レシーバ
１４    操作部
１５    マイク
１６    表示部
１７    カメラ
１８    シャッター
１９    スピーカ
２０    制御部
２１    変復調部
２２    信号処理部
２３    表示部コントローラ
２４    記憶部
２５    画像処理部
２６    位置データ比較部
３１    ＧＰＳアンテナ
３２    ＧＰＳ無線部
４０    ＧＰＳ制御部
４１    ＧＰＳ復調部
４２    信号処理部（測位部）
【図１】
2004215079.tif 000003
【図２】
2004215079.tif 000004
【図３】
2004215079.tif 000005
【図４】
2004215079.tif 000006